(57)【要約】  【課題】  外側部材に弾性的に支持される可動機器の組込作業性を高めることができ、しかも、減衰力調整の自由度を高めることができるフローティング機構を提供する。  【解決手段】  ＤＶＤ等の内側の可動機器の外側に配置された外側部材３と、該外側部材３の内側に配置された中間部材２と、内側部材の角部を弾支する複数の弾支部４１及び該弾支部４１と一体に形成され、その長手方向への伸長を可能とした複数の紐状の可伸部４２ａ，４２ｂを有する弾性部材４とを備え、可伸部４２ａ，４２ｂが掛止される被掛止部３２ａ，３２ｂを外側部材３に設け、前記可伸部４２ａ，４２ｂに前記中間部材２を係止することにより、内側部材を弾性的に一次支持及び二次支持した。【選択図】      図１
2005351300.tif 000002
【特許請求の範囲】
【請求項１】
内側部材を外側部材に弾性部材により支持するフローティング機構において、前記弾性部材は複数の位置で伸長を可能とした可伸部を有しており、前記外側部材は前記可伸部が掛止される被掛止部を有することを特徴とするフローティング機構。
【請求項２】
前記外側部材の内側に配置され、前記可伸部に係止された中間部材を備えており、前記弾性部材は前記内側部材を前記中間部材に弾支する弾支部を有する請求項１記載のフローティング機構。
【請求項３】
複数の角部を有する内側部材を外側部材に弾性部材により支持するフローティング機構において、前記弾性部材は前記内側部材の角部を弾支する複数の弾支部及び該弾支部と一体に形成され、その長手方向への伸長を可能とした複数の紐状の可伸部を有しており、前記外側部材の内側で前記弾支部を支持し、前記可伸部が挿通された挿通孔を有する中間部材を備えていることを特徴とするフローティング機構。
【発明の詳細な説明】
【技術分野】
【０００１】
本発明はデジタルバーサタイルディスク（ＤＶＤ）、ハードディスク、コンパクトディスク（ＣＤ）、ビデオテープレコーダ（ＶＴＲ）等の振動、衝撃に対して比較的故障が発生し易い内側の可動機器（内側部材）を外側部材に弾性部材により支持するフローティング機構に関する。
【背景技術】
【０００２】
図５はフローティング機構の構成を示す概略図である。図５の(a) は直方体をなす可動機器１００の各角部を弾性部材１０１により枠形の外側部材１０２に取着してあり、図５の(b) は直方体をなす可動機器１００の両側部を弾性部材１０１により凹形の外側部材１０２に取着してあり、図５の(c) は直方体をなす可動機器１００の両側部をゴム体１０３により２つの中間部材１０４に支持し、この中間部材１０４の２個所をばね体１０５により外側部材１０２に支持してあり、いずれも振動、衝撃などの外乱を減衰させ、この外乱を可動機器に伝え難くしている。
【０００３】
また、フローティング機構を備えた光ディスクカメラ装置として、直方体をなす可動機器の全周面を取り囲む弾性枠体を備え、該弾性枠体が前記可動機器を筺体内に支持した光ディスクカメラ装置も知られている（例えば、特許文献１）。
【特許文献１】特開平１１−１１２９２３号公報
【発明の開示】
【発明が解決しようとする課題】
【０００４】
ところが、図５のように構成されたフローティング機構にあっては、部品点数が多く、組立て作業性が悪いし、しかも、減衰力の調整が難しいと言う問題がある。また、特許文献１にあっては、弾性枠体の全周面が板状であり、伸長ができないため、減衰力の調整が難しいと言う問題がある。
【０００５】
本発明は斯かる事情に鑑みてなされたものであり、主たる目的は内側部材を外側部材に弾性的に支持する弾性部材を、複数の位置で伸長を可能とした可伸部を有する構成とし、この可伸部が掛止される被掛止部を外側部材に設けることにより、内側部材の組込作業性を高めることができ、しかも、減衰力調整の自由度を高めることができるフローティング機構を提供することにある。
【０００６】
また、他の目的は外側部材の内側で可伸部に係止された中間部材を設け、内側部材を中間部材に弾支する弾支部を弾性部材に設けることにより、内側部材の安定性を高めることができ、さらに減衰力を高めることができるフローティング機構を提供することにある。
【０００７】
また、他の目的は内側部材の複数の角部を弾支する複数の弾支部及び該弾支部と一体であり、その長手方向への伸長を可能とした複数の紐状の可伸部を有する弾性部材と、前記可伸部が挿通された挿通孔を有する中間部材とを設けることにより、内側部材を弾性的に一次支持及び二次支持することができる割に部品点数が少なく、構造簡単であり、組立て作業性を改善できるフローティング機構を提供することにある。
【課題を解決するための手段】
【０００８】
本発明に係るフローティング機構は、内側部材を外側部材に弾性部材により支持するフローティング機構において、前記弾性部材は複数の位置で伸長を可能とした可伸部を有しており、前記外側部材は前記可伸部が掛止される被掛止部を有することを特徴とする。
【０００９】
この発明にあっては、可伸部を伸長させつつ該可伸部を被掛止部に掛止することにより内側部材を弾性的に支持することができ、内側部材の組込作業性を高めることができる。また、複数の可伸部で内側部材を支持するため、弾性部材の硬度、可伸部の断面形状、可伸部の被掛止部への掛止方法を変えることにより減衰力を調整することが可能であり、減衰力調整の自由度を高めることができる。
【００１０】
また、本発明に係るフローティング機構は、前記外側部材の内側に配置され、前記可伸部に係止された中間部材を備えており、前記弾性部材は前記内側部材を前記中間部材に弾支する弾支部を有することを特徴とする。
【００１１】
この発明にあっては、弾性部材の弾支部により内側部材を中間部材に弾性的に一次支持することができ、しかも、可伸部により内側部材を外側部材に弾性的に二次支持することができるため、弾支部により内側部材の安定性を高めることができ、可伸部により減衰力を高めることができる。
【００１２】
また、本発明に係るフローティング機構は、複数の角部を有する内側部材を外側部材に弾性部材により支持するフローティング機構において、前記弾性部材は前記内側部材の角部を弾支する複数の弾支部及び該弾支部と一体に形成され、その長手方向への伸長を可能とした複数の紐状の可伸部を有しており、前記外側部材の内側で前記弾支部を支持し、前記可伸部が挿通された挿通孔を有する中間部材を備えていることを特徴とする。
【００１３】
この発明にあっては、弾性部材の弾支部及び可伸部が一体であるため、内側部材を弾性的に一次支持及び二次支持することができる割に部品点数が少なく、構造簡単であり、組立て作業性を改善できる。
【発明の効果】
【００１４】
本発明によれば、可伸部を伸長させつつ該可伸部を被掛止部に掛止することにより内側部材を弾性的に支持することができるため、内側部材の組込作業性を高めることができ、しかも、減衰力調整の自由度を高めることができる。
【００１５】
また、本発明によれば、弾支部により内側部材の安定性を高めることができ、可伸部により減衰力を高めることができ、しかも、内側部材の組込作業性を高めることができる。
【００１６】
また、本発明によれば、内側部材を弾性的に一次支持及び二次支持することができる割に部品点数が少なく、構造簡単であり、組立て作業性を改善できる。
【発明を実施するための最良の形態】
【００１７】
以下本発明をその実施の形態を示す図面に基づいて詳述する。図１は本発明に係るフローティング機構の構成を示す斜視図、図２は平面図、図３は弾性部材の斜視図である。
【００１８】
このフローティング機構はＤＶＤ等の直方体をなす可動機器（内側部材）１の外周りに配置される枠形の中間部材２と、該中間部材２の外周りに離隔して配置される枠形の外側部材３と、可動機器１を中間部材２及び外側部材３に弾性的に支持する弾性部材４とを備える。
【００１９】
弾性部材４はゲル状のゴム材料、又は、比較的硬度の低いエラストマ材料を略箱形に成形してなり、可動機器１の上下各４つの角部を中間部材２に弾支するための直方体をなす８つの弾支部４１と、上側４つの弾支部４１を一体に連結し、その長手方向への伸長を可能にした紐状の４つの可伸部４２ａと、下側４つの弾支部４１を一体に連結し、その長手方向への伸長を可能にした紐状の４つの可伸部４２ｂと、上側４つの弾支部４１及び下側４つの弾支部４１を上下に一体に連結した紐状の４つの可伸部４２ｃとを有する。弾支部４１には可動機器１の上下各角部に嵌合される凹部４１ａが設けられており、可伸部４２ａ，４２ｂ，４２ｃは長手方向の途中を長手方向と交差する方向へ伸長させることにより略Ｕ字形に屈曲させることができるように構成されている。また、弾性部材４はゲル状のゴム材料、例えば東京ゴム製品工業（株）のＥＰＤＭ（エチレンプロピレンゴム）、（株）ジェルテックのα−ＧＥＬ防振材等の硬度０°〜５０°の超低硬度ゴムを用いる。可伸部４２ａ，４２ｂ，４２ｃは断面形状を円形としてあるが、その他、多角形としてもよく、断面形状は特に制限されない。
【００２０】
中間部材２及び外側部材３は４つの側壁２ａ，３ａを有する金属板からなり、中間部材２の各側壁２ａの中央部には上端及び下端に開口し、可伸部４２ａ，４２ｂを挿通可能とした挿通部２１ａ，２１ｂが設けられている。
【００２１】
外側部材３の各側壁３ａの中央部には上端及び下端に開口し、挿通部２１ａ，２１ｂと平行的に設けられた２つのスリット３１ａ，３１ａ、３１ｂ，３１ｂ及びスリット３１ａ，３１ａ、３１ｂ，３１ｂ間に配置され、可伸部４２ａ，４２ｂが掛止される被掛止部３２ａ，３２ｂが設けられている。
【００２２】
以上のように構成されたフローティング機構は、可動機器１の上下各角部に弾性部材４の弾支部４１の凹部４１ａが嵌合され、弾支部４１により可動機器１を中間部材２の角部内側に弾性的に一次支持され、図１のＸ，Ｙ，Ｚ方向の振動、衝撃を抑制することができる。
【００２３】
このように弾性部材４により可動機器１が一次支持された中間部材２を外側部材３に遊嵌し、下側４つの可伸部４２ｂを別個にその長手方向へ引張り、略Ｕ字形に屈曲させつつ被掛止部３２ｂに引掛け、さらに、上側４つの可伸部４２ａを別個にその長手方向へ引張り、略Ｕ字形に屈曲させつつ被掛止部３２ａに引掛け、各可伸部４２ａ，４２ｂにより可動機器１を外側部材３に弾性的に二次支持され、図１のＸ，Ｙ，Ｘ方向の振動、衝撃を抑制することができる。このように可動機器１を支持した外側部材３はＤＶＤ等の筺体５内に固定される。図４はＤＶＤ等に組み込んだ状態を示す概略図である。
【００２４】
尚、以上説明した実施の形態では紐状の可伸部４２ａ，４２ｂ，４２ｃを有する弾性部材４としたが、その他、弾性部材４は可動機器１の全周面と対向する板状とし、板部の上下端近傍にスリットを設け、該スリットと上下端との間を可伸部４２ａ，４２ｂとしてもよく、可伸部４２ａ，４２ｂの形状は特に制限されない。
【図面の簡単な説明】
【００２５】
【図１】本発明に係るフローティング機構の構成を示す斜視図である。
【図２】本発明に係るフローティング機構の構成を示す平面図である。
【図３】本発明に係るフローティング機構の弾性部材の構成を示す斜視図である。
【図４】本発明に係るフローティング機構をＤＶＤ等に組み込んだ状態を示す概略図である。
【図５】従来のフローティング機構の構成を示す概略図である。
【符号の説明】
【００２６】
１  可動機器（内側部材）
２  中間部材
２１ａ，２１ｂ  挿通部
３  外側部材
３２ａ，３２ｂ  被掛止部
４    弾性部材
４１  弾支部
４２ａ，４２ｂ  可伸部
【図１】
2005351300.tif 000003
【図２】
2005351300.tif 000004
【図３】
2005351300.tif 000005
【図４】
2005351300.tif 000006
【図５】
2005351300.tif 000007